(57)【要約】【課題】印刷条件項目の面内変動を日常的に管理する印刷条件日常管理システムを提供する。【解決手段】  印刷条件日常管理システムは、印刷装置と測定装置と管理装置と閲覧装置とを備える。印刷装置は、版によって印刷物を印刷し、版は、第１の日常管理パッチ及び第２の日常管理パッチが、日常管理領域内に、印刷の流れ方向に平行な方向な印刷物の中心線を基準として左手側及び右手側に位置する。測定装置は、第１の日常管理パッチ及び第２の日常管理パッチのそれぞれのベタ濃度及びドットゲイン％を求め、管理装置に送信する。閲覧装置は、印刷条件項目に対応する基準ベタ濃度及び基準ドットゲイン％の少なくとも１つ、並びに、第１の日常管理パッチ及び第２の日常管理パッチのそれぞれのベタ濃度及びドットゲイン％の少なくとも１つを、管理装置から受信する。【選択図】  図３
2006123419.tif 000002
【特許請求の範囲】
【請求項１】
印刷装置（１）と測定装置（２）と管理装置（３）と閲覧装置（４）とを備える印刷条件日常管理システムであって、
印刷装置（１）は、版によって印刷物（２０）を印刷し、
版は、印刷物（２０）が、断裁サイズ（２１）の内側に印刷された製品領域（２２）と断裁サイズ（２１）の外側に印刷された日常管理領域（２３）を有するように構成され、
版は、第１の日常管理パッチ（３１）及び第２の日常管理パッチ（３２）が、日常管理領域（２３）内に、印刷の流れ方向（３３）に平行な方向な印刷物（２０）の中心線（３４）を基準として左手側及び右手側に位置するように、構成され、
版は、第１の日常管理パッチ（３１）及び第２の日常管理パッチ（３２）のそれぞれが、白色部（５１）、１００％部（５２、５５、５８、６１）、Ｎ％部（０＜Ｎ＜１００）（５４、５７、６０、６３）を有するように、構成され、
測定装置（２）は、測定装置（２）及びそれに接続される測色機を制御する中央処理装置と、少なくとも制御プログラムを記録する記録装置と、通信手段とを備え、
測定装置（２）の中央処理装置は、制御プログラムに従って、測色機を動作させ、それにより、測色機は、第１の日常管理パッチ（３１）及び第２の日常管理パッチ（３２）を測色し、
測定装置（２）の中央処理装置は、制御プログラムに従って、測色機によって測定された測定値から、第１の日常管理パッチ（３１）及び第２の日常管理パッチ（３２）のそれぞれのベタ濃度及びドットゲイン％を求め、
測定装置（２）の記憶装置は、基準ベタ濃度及び基準ドットゲイン％を記憶し、
測定装置（２）の中央処理装置は、制御プログラムに従って、測定装置（２）の通信手段を動作させ、それにより、測定装置（２）の通信手段は、基準ベタ濃度及び基準ドットゲイン％、並びに、第１の日常管理パッチ（３１）及び第２の日常管理パッチ（３２）のそれぞれのベタ濃度及びドットゲイン％を管理装置（３）に送信し、
管理装置（３）は、管理装置（３）を制御する中央処理装置と、少なくとも制御プログラムを記録する記録装置と、通信手段とを備え、
管理装置（３）の中央処理装置は、制御プログラムに従って、管理装置（３）の通信手段を動作させ、それにより、管理装置（３）の通信手段は、基準ベタ濃度及び基準ドットゲイン％、並びに、第１の日常管理パッチ（３１）及び第２の日常管理パッチ（３２）のそれぞれのベタ濃度及びドットゲイン％を測定装置（２）から受信し、
管理装置（３）の記憶装置は、基準ベタ濃度及び基準ドットゲイン％、並びに、第１の日常管理パッチ（３１）及び第２の日常管理パッチ（３２）のそれぞれのベタ濃度及びドットゲイン％を記憶し、
管理装置（３）の中央処理装置は、制御プログラムに従って、管理装置（３）の通信手段を動作させ、それにより、管理装置（３）の通信手段は、ベタ濃度及びドットゲイン％の少なくとも１つを表す印刷条件項目を閲覧装置（４）から受信し、
管理装置（３）の中央処理装置は、制御プログラムに従って、管理装置（３）の通信手段を動作させ、それにより、管理装置（３）の通信手段は、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信し、
閲覧装置（４）は、閲覧装置（４）を制御する中央処理装置と、少なくとも制御プログラムを記録する記録装置と、通信手段とを備え、
閲覧装置（４）の中央処理装置は、制御プログラムに従って、閲覧装置（４）の通信手段を動作させ、それにより、閲覧装置（４）の通信手段は、ベタ濃度及びドットゲイン％の少なくとも１つを表す印刷条件項目を管理装置（３）に送信し、
閲覧装置（４）の中央処理装置は、制御プログラムに従って、閲覧装置（４）の通信手段を動作させ、それにより、閲覧装置（４）の通信手段は、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを管理装置（３）から受信する、印刷条件日常管理システム。
【請求項２】
請求項１に記載の印刷条件日常管理システムであって、
版は、第１の日常管理パッチ（３１）及び第２の日常管理パッチ（３２）のそれぞれがさらに、Ｍ％部（０＜Ｍ＜１００）（５３、５６、５９、６２）を有するように、構成され、
測定装置（２）の中央処理装置は、測色機によって測定されたＭ％部の測定値から、第１の日常管理パッチ（３１）及び第２の日常管理パッチ（３２）のそれぞれのコントラスト値をさらに求め、
測定装置（２）の記憶装置は、基準コントラスト値をさらにを記憶し、
測定装置（２）の通信手段は、基準コントラスト値、並びに、第１の日常管理パッチ（３１）及び第２の日常管理パッチ（３２）のそれぞれのコントラスト値をさらに管理装置（３）に送信し、
管理装置（３）の記憶装置は、基準コントラスト値、並びに、第１の日常管理パッチ（３１）及び第２の日常管理パッチ（３２）のそれぞれのコントラスト値をさらに記憶し、
管理装置（３）の通信手段は、コントラスト値を表す印刷条件項目を閲覧装置（４）から受信し、
管理装置（３）の通信手段は、印刷条件項目に対応する基準コントラスト値、並びに、第１の日常管理パッチ（３１）及び第２の日常管理パッチ（３２）のそれぞれのコントラスト値を閲覧装置（４）に送信する、印刷条件日常管理システム。
【請求項３】
請求項２に記載の印刷条件日常管理システムであって、
版は、第１の日常管理パッチ（３１）及び第２の日常管理パッチ（３２）のそれぞれがさらに、２色の１００％部（６４、６５、６６）を有するように、構成され、
測定装置（２）の中央処理装置は、測色機によって測定された２色の１００％部の測定値から、第１の日常管理パッチ（３１）及び第２の日常管理パッチ（３２）のそれぞれのトラッピング％をさらに求め、
測定装置（２）の記憶装置は、基準トラッピング％をさらにを記憶し、
測定装置（２）の通信手段は、基準トラッピング％、並びに、第１の日常管理パッチ（３１）及び第２の日常管理パッチ（３２）のそれぞれのトラッピング％をさらに管理装置（３）に送信し、
管理装置（３）の記憶装置は、基準コントラスト値、並びに、第１の日常管理パッチ（３１）及び第２の日常管理パッチ（３２）のそれぞれのトラッピング％をさらに記憶し、
管理装置（３）の通信手段は、トラッピング％を表す印刷条件項目を閲覧装置（４）から受信し、
管理装置（３）の通信手段は、印刷条件項目に対応する基準トラッピング％、並びに、第１の日常管理パッチ（３１）及び第２の日常管理パッチ（３２）のそれぞれのトラッピング％を閲覧装置（４）に送信する、印刷条件日常管理システム。
【請求項４】
請求項３に記載の印刷条件日常管理システムであって、
版は、第１の日常管理パッチ（３１）及び第２の日常管理パッチ（３２）のそれぞれがさらに、３色のグレー部（６７、６８、６９）を有するように、構成され、
測定装置（２）の中央処理装置は、測色機によって測定された３色のグレー部の測定値から、第１の日常管理パッチ（３１）及び第２の日常管理パッチ（３２）のそれぞれのＬａｂ値をさらに求め、
測定装置（２）の記憶装置は、基準Ｌａｂ値をさらにを記憶し、
測定装置（２）の中央処理装置は、基準Ｌａｂ値と第１の日常管理パッチ（３１）及び第２の日常管理パッチ（３２）のそれぞれのＬａｂ値との色差を求め、
測定装置（２）の通信手段は、第１の日常管理パッチ（３１）及び第２の日常管理パッチ（３２）のそれぞれの色差をさらに管理装置（３）に送信し、
管理装置（３）の記憶装置は、第１の日常管理パッチ（３１）及び第２の日常管理パッチ（３２）のそれぞれの色差をさらに記憶し、
管理装置（３）の通信手段は、グレーバランスを表す印刷条件項目を閲覧装置（４）から受信し、
管理装置（３）の通信手段は、印刷条件項目に対応する第１の日常管理パッチ（３１）及び第２の日常管理パッチ（３２）のそれぞれの色差を閲覧装置（４）に送信する、印刷条件日常管理システム。
【請求項５】
請求項１に記載の印刷条件日常管理システムであって、
印刷装置（１）は、第２の印刷物をさらに印刷し、
測色機は、第２の印刷物に関して、第１の日常管理パッチ（３１）及び第２の日常管理パッチ（３２）を測色し、
測定装置（２）の中央処理装置は、第２の印刷物に関して、第１の日常管理パッチ（３１）及び第２の日常管理パッチ（３２）のそれぞれのベタ濃度及びドットゲイン％を求め、
測定装置（２）の記憶装置は、第２の印刷物に関して、基準ベタ濃度及び基準ドットゲイン％を記憶し、
測定装置（２）の通信手段は、第１の印刷物（２０）に関して、測定時間をさらに管理装置（３）に送信し、
測定装置（２）の通信手段は、第２の印刷物に関して、基準ベタ濃度、基準ドットゲイン％及び測定時間を管理装置（３）に送信し、
管理装置（３）の記憶装置は、第１の印刷物（２０）及び第２の印刷物のそれぞれに関して、測定時間に関連づけて、基準ベタ濃度及び基準ドットゲイン％、並びに、第１の日常管理パッチ（３１）及び第２の日常管理パッチ（３２）のそれぞれのベタ濃度及びドットゲイン％を記憶し、
管理装置（３）の通信手段は、抽出測定時間（８４）を閲覧装置（４）から受信し、
管理装置（３）の中央処理装置は、抽出測定時間（８４）に属する測定時間を抽出し、
管理装置（３）の通信手段は、抽出測定時間（８４）に属する測定時間に関連し、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する、印刷条件日常管理システム。
【請求項６】
請求項５に記載の印刷条件日常管理システムであって、抽出測定時間（８４）は、１日を単位とする、印刷条件日常管理システム。
【請求項７】
請求項５に記載の印刷条件日常管理システムであって、
管理装置（３）の中央処理装置は、Ｘ軸を測定時間とし、Ｙ軸を印刷条件項目とし、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つをグラフ化するＷｅｂページを作成し、
管理装置（３）の通信装置は、抽出測定時間（８４）に属する測定時間に関連し、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを、グラフ化されたＷｅｂページ形式で閲覧装置（４）に送信する、印刷条件日常管理システム。
【請求項８】
請求項１に記載の印刷条件日常管理システムであって、
印刷装置（１）は、印刷機ＩＤに対応し、
印刷物（２０）は、用紙ＩＤに対応する紙に印刷され、
測定装置（２）の通信手段は、印刷ＩＤ及び用紙ＩＤをさらに管理装置（３）に送信し、
管理装置（３）の記憶装置は、印刷ＩＤ及び用紙ＩＤに関連づけて、基準ベタ濃度及び基準ドットゲイン％、並びに、第１の日常管理パッチ（３１）及び第２の日常管理パッチ（３２）のそれぞれのベタ濃度及びドットゲイン％を記憶し、
管理装置（３）の通信手段は、印刷ＩＤ及び用紙ＩＤをさらに閲覧装置（４）から受信し、
管理装置（３）の通信手段は、閲覧装置（４）からの印刷ＩＤ及び用紙ＩＤに属し、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する、印刷条件日常管理システム。
【請求項９】
印刷条件を日常管理するための管理装置（３）であって、
管理装置（３）は、管理装置（３）を制御する中央処理装置と、少なくとも制御プログラムを記録する記録装置と、通信手段とを備え、
管理装置（３）の中央処理装置は、制御プログラムに従って、管理装置（３）の通信手段を動作させ、それにより、管理装置（３）の通信手段は、基準ベタ濃度及び基準ドットゲイン％、並びに、第１の日常管理パッチ（３１）及び第２の日常管理パッチ（３２）のそれぞれのベタ濃度及びドットゲイン％を測定装置（２）から受信し、
第１の日常管理パッチ（３１）及び第２の日常管理パッチ（３２）は、版を備える印刷装置（１）によって印刷された印刷物（２０）の日常管理領域（２３）内に、印刷の流れ方向（３３）に平行な方向な印刷物（２０）の中心線（３４）を基準として左手側及び右手側に位置し、
日常管理領域（２３）は、印刷物（２０）の断裁サイズ（２１）の外側に印刷され、
管理装置（３）の記憶装置は、基準ベタ濃度及び基準ドットゲイン％、並びに、第１の日常管理パッチ（３１）及び第２の日常管理パッチ（３２）のそれぞれのベタ濃度及びドットゲイン％を記憶し、
管理装置（３）の中央処理装置は、制御プログラムに従って、管理装置（３）の通信手段を動作させ、それにより、管理装置（３）の通信手段は、ベタ濃度及びドットゲイン％の少なくとも１つを表す印刷条件項目を閲覧装置（４）から受信し、
管理装置（３）の中央処理装置は、制御プログラムに従って、管理装置（３）の通信手段を動作させ、それにより、管理装置（３）の通信手段は、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する、管理装置（３）。
【請求項１０】
印刷条件を日常管理するために管理装置（３）を、
基準ベタ濃度及び基準ドットゲイン％、並びに、第１の日常管理パッチ（３１）及び第２の日常管理パッチ（３２）のそれぞれのベタ濃度及びドットゲイン％を測定装置（２）から受信する通信手段、
基準ベタ濃度及び基準ドットゲイン％、並びに、第１の日常管理パッチ（３１）及び第２の日常管理パッチ（３２）のそれぞれのベタ濃度及びドットゲイン％を記憶する記憶装置、
ベタ濃度及びドットゲイン％の少なくとも１つを表す印刷条件項目を閲覧装置（４）から受信する通信手段、及び
印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する通信手段、
として機能させるための制御プログラムであって、
第１の日常管理パッチ（３１）及び第２の日常管理パッチ（３２）は、版を備える印刷装置（１）によって印刷された印刷物（２０）の日常管理領域（２３）内に、印刷の流れ方向（３３）に平行な方向な印刷物（２０）の中心線（３４）を基準として左手側及び右手側に位置し、
日常管理領域（２３）は、印刷物（２０）の断裁サイズ（２１）の外側に印刷される、制御プログラム。
【請求項１１】
印刷条件を日常管理するために測定装置（２）を、
第１の日常管理パッチ（３１）及び第２の日常管理パッチ（３２）を測色する測色機、
測色機によって測定された測定値から、第１の日常管理パッチ（３１）及び第２の日常管理パッチ（３２）のそれぞれのベタ濃度及びドットゲイン％を求める中央処理装置、及び、
基準ベタ濃度及び基準ドットゲイン％、並びに、第１の日常管理パッチ（３１）及び第２の日常管理パッチ（３２）のそれぞれのベタ濃度及びドットゲイン％を管理装置（３）に送信する通信手段、
として機能させるための制御プログラムであって、
第１の日常管理パッチ（３１）及び第２の日常管理パッチ（３２）は、版を備える印刷装置（１）によって印刷された印刷物（２０）の日常管理領域（２３）内に、印刷の流れ方向（３３）に平行な方向な印刷物（２０）の中心線（３４）を基準として左手側及び右手側に位置し、
日常管理領域（２３）は、印刷物（２０）の断裁サイズ（２１）の外側に印刷される、制御プログラム。
【発明の詳細な説明】
【技術分野】
【０００１】
本発明は、概して、版を備える印刷装置によって印刷された印刷物における印刷条件を管理するシステムに関連する。本発明は、より詳細には、印刷物の左手側及び右手側の日常管理パッチを用い、左手側及び右手側の印刷条件を管理するシステムに関連する。
【背景技術】
【０００２】
一般に、印刷工程には、校正機によって見本印刷物を印刷する工程と、印刷機によって最終印刷物を印刷する工程とが含まれる。印刷機によって印刷された最終印刷物における印刷条件（例えば、ベタ濃度、ドットゲインなど）が、その印刷機の基準印刷条件（標準印刷条件）に対してどのくらい一致しているのかを日常的に把握することが、望まれている。
【０００３】
以下に示す特許文献１には、版を備えない校正機の１例であるＤＤＣＰ（Direct Digital Color Proof）によって印刷された色管理チャート（色管理専用の印刷物）における印刷条件を日常的に管理する方法が開示されている。
【特許文献１】特開２００４−１８６７５６号公報（段落［００５８］−［００６４］、第７図−第１０図、段落［０１３１］−［０１３７］、第２１図−第２３図）
【発明の開示】
【発明が解決しようとする課題】
【０００４】
例えば特許文献１に示されるように、従来の印刷条件の日常的な管理は、ＤＤＣＰによって印刷された１枚の色管理チャートから、１組の印刷条件を抽出し、管理するものであった。ここで、１組の印刷条件とは、１つの印刷条件項目（例えば、藍色のベタ濃度、紅色のベタ濃度、黄色のベタ濃度又は墨色のベタ濃度など）について、１つの値のみを有することを意味する。なお、特許文献１の例において、１つの印刷条件項目は、例えば、藍色のベタ濃度のＲフィルタ濃度Ｄｒ、藍色のベタ濃度のＧフィルタ濃度Ｄｇ、藍色のベタ濃度のＢフィルタ濃度Ｄｂ、紅色のベタ濃度のＲフィルタ濃度Ｄｒ、紅色のベタ濃度のＧフィルタ濃度Ｄｇ、紅色のベタ濃度のＢフィルタ濃度Ｄｂなどである。
【０００５】
ＤＤＣＰなどの版を備えない校正機は、色管理チャートの面内変動が少ないため、校正機における印刷条件の日常的な管理は、１つの印刷条件項目を管理すれば、十分である。しかしながら、例えば、枚葉オフセット印刷機、オフセット輪転機などの版を備える印刷機は、色管理チャートの面内変動が大きいため、印刷機における印刷条件の日常的な管理は、１つの印刷条件項目を管理するだけでは、不十分であると本発明者らは、認識した。言い換えれば、版を備える印刷機における印刷条件の日常的な管理には、印刷条件項目の面内変動（即ち、複数の印刷条件項目）を管理することが必要であり、その管理結果により、面内変動の要因（例えば、印刷機上の湿し水の温度の異変、ローラ間の水上がりの状態の異変など）の推定をユーザに可能させることが、重要であると本発明者らは、認識した。
【０００６】
さらに、版の取り替えが不要であるＤＤＣＰなどの版を備えない校正機は、見本印刷物と見本印刷物との間に、色管理チャートを印刷することは容易であり、その結果、版を備えない校正機の稼働率は、さほど低下しない。しかしながら、版の取り替えが必要である枚葉オフセット印刷機、オフセット輪転機などの版を備える印刷機が、最終印刷物と最終印刷物との間に、色管理チャートを印刷することは、印刷機の稼働時間を大きく低下せざる得ない。なぜならば、印刷機によって色管理チャートを印刷するために要する時間は、一般に、版の取り替え、インキ供給量の調節などの時間を含めて、約２〜４時間である。したがって、版を備える印刷機によって印刷された色管理チャート（色管理専用の印刷物）における印刷条件の日常的な管理は、非現実的である。
【０００７】
また、平台校正機、本機校正機などの版を備える校正機も、版を備える印刷機と同様の問題を有する。
上述した従来の問題に鑑み、本発明の目的は、印刷条件項目の面内変動を日常的に管理する印刷条件日常管理システムを提供することにある。
【０００８】
本発明のもう１つの目的は、色管理チャート（色管理専用の印刷物）ではなく、最終印刷物又は見本印刷物における印刷条件を日常的に管理する印刷条件日常管理システムを提供することにある。
【０００９】
本発明の他の目的は、本明細書、並びに、それに添付する図面及び特許請求の範囲を参照することにより、当業者に明らかになるであろう。
【課題を解決するための手段】
【００１０】
本発明の印刷条件日常管理システムは、印刷装置（１）と測定装置（２）と管理装置（３）と閲覧装置（４）とを備える。印刷装置（１）は、版によって印刷物（２０）を印刷する。なお、印刷装置（１）は、印刷機（１）と校正機とを含む。また、印刷物（２０）は、最終印刷物（２０）と見本印刷物とを含む。
【００１１】
印刷物（２０）は、断裁サイズ（２１）の内側に印刷された製品領域（２２）と断裁サイズ（２１）の外側に印刷された日常管理領域（２３）を有し、第１の日常管理パッチ（３１）及び第２の日常管理パッチ（３２）は、日常管理領域（２３）内に、印刷の流れ方向（３３）に平行な方向な印刷物（２０）の中心線（３４）を基準として左手側及び右手側に位置し、第１の日常管理パッチ（３１）及び第２の日常管理パッチ（３２）のそれぞれは、白色部（５１）、１００％部（５２、５５、５８、６１）、Ｎ％部（０＜Ｎ＜１００）（５４、５７、６０、６３）を有する。
【００１２】
測定装置（２）は、測定装置（２）及びそれに接続される測色機を制御する中央処理装置と、少なくとも制御プログラムを記録する記録装置と、通信手段とを備える。測色機は、第１の日常管理パッチ（３１）及び第２の日常管理パッチ（３２）を測色し、測定装置（２）の中央処理装置は、測色機によって測定された測定値から、第１の日常管理パッチ（３１）及び第２の日常管理パッチ（３２）のそれぞれのベタ濃度及びドットゲイン％を求め、測定装置（２）の記憶装置は、基準ベタ濃度及び基準ドットゲイン％を記憶し、測定装置（２）の通信手段は、基準ベタ濃度及び基準ドットゲイン％、並びに、第１の日常管理パッチ（３１）及び第２の日常管理パッチ（３２）のそれぞれのベタ濃度及びドットゲイン％を管理装置（３）に送信する。
【００１３】
管理装置（３）は、管理装置（３）を制御する中央処理装置と、少なくとも制御プログラムを記録する記録装置と、通信手段とを備える。管理装置（３）の通信手段は、基準ベタ濃度及び基準ドットゲイン％、並びに、第１の日常管理パッチ（３１）及び第２の日常管理パッチ（３２）のそれぞれのベタ濃度及びドットゲイン％を測定装置（２）から受信し、管理装置（３）の記憶装置は、基準ベタ濃度及び基準ドットゲイン％、並びに、第１の日常管理パッチ（３１）及び第２の日常管理パッチ（３２）のそれぞれのベタ濃度及びドットゲイン％を記憶し、管理装置（３）の通信手段は、ベタ濃度及びドットゲイン％の少なくとも１つを表す印刷条件項目を閲覧装置（４）から受信し、管理装置（３）の通信手段は、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する。
【００１４】
閲覧装置（４）は、閲覧装置（４）を制御する中央処理装置と、少なくとも制御プログラムを記録する記録装置と、通信手段とを備える。閲覧装置（４）の通信手段は、ベタ濃度及びドットゲイン％の少なくとも１つを表す印刷条件項目を管理装置（３）に送信し、閲覧装置（４）の通信手段は、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを管理装置（３）から受信する。
【００１５】
好ましくは、第１の日常管理パッチ（３１）及び第２の日常管理パッチ（３２）のそれぞれがさらに、Ｍ％部（０＜Ｍ＜１００）（５３、５６、５９、６２）を有する。測定装置（２）の中央処理装置は、測色機によって測定されたＭ％部の測定値から、第１の日常管理パッチ（３１）及び第２の日常管理パッチ（３２）のそれぞれのコントラスト値をさらに求める。
【００１６】
好ましくは、第１の日常管理パッチ（３１）及び第２の日常管理パッチ（３２）のそれぞれがさらに、２色の１００％部（６４、６５、６６）を有する。測定装置（２）の中央処理装置は、測色機によって測定された２色の１００％部の測定値から、第１の日常管理パッチ（３１）及び第２の日常管理パッチ（３２）のそれぞれのトラッピング％をさらに求める。
【００１７】
好ましくは、第１の日常管理パッチ（３１）及び第２の日常管理パッチ（３２）のそれぞれがさらに、３色のグレー部（６７、６８、６９）を有する。測定装置（２）の中央処理装置は、測色機によって測定された３色のグレー部の測定値から、第１の日常管理パッチ（３１）及び第２の日常管理パッチ（３２）のそれぞれのＬａｂ値をさらに求める。
【００１８】
印刷装置（１）は、第２の印刷物をさらに印刷し、測色機は、第２の印刷物に関して、第１の日常管理パッチ（３１）及び第２の日常管理パッチ（３２）を測色する。測定装置（２）の通信手段は、第１の印刷物（２０）に関して、測定時間をさらに管理装置（３）に送信し、第２の印刷物に関して、基準ベタ濃度、基準ドットゲイン％及び測定時間を管理装置（３）に送信する。管理装置（３）の記憶装置は、第１の印刷物（２０）及び第２の印刷物のそれぞれに関して、測定時間に関連づけて、基準ベタ濃度及び基準ドットゲイン％、並びに、第１の日常管理パッチ（３１）及び第２の日常管理パッチ（３２）のそれぞれのベタ濃度及びドットゲイン％を記憶する。管理装置（３）の通信手段は、抽出測定時間（８４）を閲覧装置（４）から受信し、管理装置（３）の中央処理装置は、抽出測定時間（８４）に属する測定時間を抽出する。管理装置（３）の通信手段は、抽出測定時間（８４）に属する測定時間に関連し、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する。好ましくは、抽出測定時間（８４）は、１日を単位とする。
【００１９】
さらに好ましくは、管理装置（３）の中央処理装置は、Ｘ軸を測定時間とし、Ｙ軸を印刷条件項目とし、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つをグラフ化するＷｅｂページを作成する。
【００２０】
印刷装置（１）は、印刷機ＩＤに対応し、印刷物（２０）は、用紙ＩＤに対応する紙に印刷され、測定装置（２）の通信手段は、印刷ＩＤ及び用紙ＩＤをさらに管理装置（３）に送信する。管理装置（３）の記憶装置は、印刷ＩＤ及び用紙ＩＤに関連づけて、基準ベタ濃度及び基準ドットゲイン％、並びに、第１の日常管理パッチ（３１）及び第２の日常管理パッチ（３２）のそれぞれのベタ濃度及びドットゲイン％を記憶する。管理装置（３）の通信手段は、閲覧装置（４）からの印刷ＩＤ及び用紙ＩＤに属し、印刷条件項目に対応する基準ベタ濃度及び基準ドットゲイン％の少なくとも１つ、並びに、第１の日常管理パッチ（３１）及び第２の日常管理パッチ（３２）のそれぞれのベタ濃度及びドットゲイン％の少なくとも１つを閲覧装置（４）に送信する。
【００２１】
本発明のプログラムは、印刷条件を日常管理するために管理装置（３）を、通信手段、記憶装置及び通信手段として機能させる。本発明のプログラムは、印刷条件を日常管理するために測定装置（２）を、測色機、中央処理装置及び通信手段として機能させる。
【発明を実施するための最良の形態】
【００２２】
以下に説明する発明の実施形態は、特許請求の範囲に記載される発明の１実施形態を示すものであり、本発明は、以下の実施形態に限定されるべきものではない。また、当業者であれば、以下の実施形態を変形し、特許請求の範囲に記載される発明を容易に構成することが可能である。
【００２３】
図１は、本発明の印刷条件日常管理システムの構成例を示す。図１に示すように、印刷条件日常管理システム１０は、概して、印刷機１と測定装置２と管理装置３とを備える。好ましくは、印刷条件日常管理システム１０はさらに、閲覧装置４を備える。なお、印刷機１は、版を備える校正機であってもよい。
【００２４】
図２は、印刷機によって印刷された最終印刷物の平面図を示す。図２に示すように、印刷機によって印刷された最終印刷物２０は、断裁サイズ２１の内側に印刷された製品領域２２と、断裁サイズ２１の外側に印刷された日常管理領域２３とを備える。製品領域２２には、製品（例えば、雑誌の特定のページ、ポスターなど）が印刷され、日常管理領域２３には、日常管理パッチが印刷される。色管理チャート（色管理専用の印刷物）と異なり、日常管理パッチは、製品とともに印刷されるため、印刷機１の稼働率の低下を招くことはない。なお、最終印刷物とは、インキ供給量が調整された後に印刷されたものをいい、例えば、校正機によって印刷された見本印刷物との色再現が一致するようにインキ供給量を調整しながら印刷されるものを含まない。
【００２５】
図３は、最終印刷物の日常管理領域に印刷された日常管理パッチの配置例を示す。図３に示すように、第１の日常管理パッチ３１及び第２の日常管理パッチ３２は、製品領域２２に対して、印刷の流れ方向３３（インキが紙に転写されて行く方向）の上手側に位置し、第１の日常管理パッチ３１は、印刷の流れ方向３３に平行な方向な中心線３４を基準として左手側に位置し、第２の日常管理パッチ３２は、中心線３４を基準として右手側に位置する。
【００２６】
なお、第１の日常管理パッチ３１及び第２の日常管理パッチ３２は、製品領域２２に対して、印刷の流れ方向３３の下手側に位置してもよい。また、図４に示すように、紙の大きさに応じて、第３の日常管理パッチ４１を、中心線３４を基準として中央側に配置してもよい。
【００２７】
図５は、日常管理パッチの構成例を示す。図５に示すように、第１の日常管理パッチ３１は、紙の白色部５１と、１００％の藍色部５２と、７５％の藍色部５３と、５０％の藍色部５４と、１００％の紅色部５５と、７５％の紅色部５６と、５０％の紅色部５７と、１００％の黄色部５８と、７５％の黄色部５９と、５０％黄色部６０と、１００％の墨色部６１と、７５％の墨色部６２と、５０％の墨色部６３と、１００％の紅色と１００％の黄色とからなる赤色部６４と、１００％の藍色と１００％の黄色とからなる緑色部６５と、１００％の藍色と１００％の紅色とからなる青色部６６とを備える。好ましくは、第１の日常管理パッチ３１はさらに、８０％の藍色と６９％の紅色と６９％の黄色とからなる第１の３色グレー部６７と、５０％の藍色と３８％の紅色と１３％の黄色からなる第２の３色グレー部６８と、２０％の藍色と１３％の紅色と１３％の黄色とからなる第３の３色グレー部６９とを備える。
【００２８】
第２の日常管理パッチ３２（必要に応じて第３の日常管理パッチ４１）は、第１の日常管理パッチ３１と同じ配色のパッチからなる。好ましくは、第２の日常管理パッチ３２（必要に応じて第３の日常管理パッチ４１）の各パッチの配列（パッチの順序）は、第１の日常管理パッチ３１と同じである。
【００２９】
最終印刷物２０が、その製品領域２２に対して印刷の流れ方向３３の上手側又は下手側に位置する少なくとも２つの日常管理パッチ３１及び３２であって、印刷の流れ方向３３に平行な方向な最終印刷物２０の中心線３４を基準として左手側及び右手側に位置する少なくとも２つの日常管理パッチ３１及び３２を備えるように、版を備える印刷機１は、最終印刷物２０を印刷する。印刷機１によって印刷された最終印刷物２０の少なくとも２つの日常管理パッチ３１及び３２は、それぞれ、図５に示す配色のパッチを備える。版を備える印刷機１は、例えば、枚葉オフセット印刷機、オフセット輪転機などを含み、ＤＤＣＰ、カラープリンターなどの版を備えない校正機を含まない。
【００３０】
図１に示す測定装置２は、日常管理パッチの藍色の濃度、紅色の濃度、黄色の濃度及び墨色の濃度を測定可能な測色機（図示せず）が接続され、測色機及び測定装置２を制御する中央処理装置（図示せず）と、その制御プログラム等が記録される記録装置（図示せず）と、表示手段（図示せず）と、通信手段（図示せず）とを備える。なお、少なくとも２つの日常管理パッチ３１及び３２が、３色グレー部を備える場合、測定装置２は、３色グレー部（日常管理パッチ）のＬａｂ値も測定可能な測色機を備える。測定装置２の中央処理装置は、記録装置に記録される制御プログラムに従って、測色装置２を以下のように動作させる。
【００３１】
（設定情報）
測色装置２の測色機で日常管理パッチを測色する前に、まず、測色装置２の中央処理装置は、図６に示すように、基本設定情報、基準印刷条件設定情報、許容値設定情報及びグラフ表示範囲設定情報を、測色装置２の記憶装置に格納する。
【００３２】
基本設定情報には、ユーザＩＤ、パスワード、印刷機ＩＤ、用紙ＩＤ、日常管理パッチの構成情報及び日常管理パッチの数が含まれる。ユーザＩＤは、測色装置２のユーザを識別するためのＩＤであり、パスワードは、測色装置２が管理装置３にアクセスするためのパスワードであり、印刷機ＩＤは、印刷機１を識別するためのＩＤであり、用紙ＩＤは、印刷機１によって印刷された最終印刷物２０の紙の種類（例えば、コート紙、アート紙、上質紙など）を識別するためのＩＤであり、日常管理パッチの構成情報は、測色装置２によって測定される１つの日常管理パッチの各パッチの色情報（例えば、第１パッチは、紙の白色部５１であり、第２パッチは、１００％の藍色部５２であり、第３パッチは、７５％の藍色部５３であり、・・・、第１９パッチは、２０％の藍色と１３％の紅色と１３％の黄色とからなる第３の３色グレー部６９である。）であり、日常管理パッチの数は、測色装置２によって測定される日常管理パッチの個数（例えば、２）である。
【００３３】
基準印刷条件設定情報には、藍色の基準ベタ濃度（例えば、１．５０）、紅色の基準ベタ濃度（例えば、１．５０）、黄色の基準ベタ濃度（例えば、１．００）、墨色の基準ベタ濃度（例えば、１．５０）、藍色の基準ドットゲイン％（例えば、１６．００）、紅色の基準ドットゲイン％（例えば、１６．００）、黄色の基準ドットゲイン％（例えば、１６．００）、墨色の基準ドットゲイン％（例えば、１６．００）、藍色の基準コントラスト値（例えば、０．４５）、紅色の基準コントラスト値（例えば、０．４５）、黄色の基準コントラスト値（例えば、０．４５）、墨色の基準コントラスト値（例えば、０．４５）、赤色の基準トラッピング％（例えば、６０．００）、緑色の基準トラッピング％（例えば、７０．００）、青色の基準トラッピング％（例えば、６０．００）、第１の３色グレー部の基準Ｌａｂ値（例えば、Ｌ＝３８．２７、ａ＝−２．３９、ｂ＝２．０４）、第２の３色グレー部の基準Ｌａｂ値（例えば、Ｌ＝５９．８９、ａ＝−１．６４、ｂ＝−０．６１）、第３の３色グレー部の基準Ｌａｂ値（例えば、Ｌ＝８０．９１、ａ＝−０．５３、ｂ＝−１．４７）が含まれる。
【００３４】
許容値設定情報には、藍色の第１のベタ濃度許容範囲（例えば、０．０６）、紅色の第１のベタ濃度許容範囲（例えば、０．０６）、黄色の第１のベタ濃度許容範囲（例えば、０．０６）、墨色の第１のベタ濃度許容範囲（例えば、０．０６）、藍色の第１のドットゲイン％許容範囲（例えば、２．００）、紅色の第１のドットゲイン％許容範囲（例えば、２．００）、黄色の第１のドットゲイン％許容範囲（例えば、２．００）、墨色の第１のドットゲイン％許容範囲（例えば、２．００）、藍色の第１のコントラスト値許容範囲（例えば、０．０５）、紅色の第１のコントラスト値許容範囲（例えば、０．０５）、黄色の第１のコントラスト値許容範囲（例えば、０．０５）、墨色の第１のコントラスト値許容範囲（例えば、０．０５）、赤色の第１のトラッピング％許容範囲（例えば、１０．００）、緑色の第１のトラッピング％許容範囲（例えば、１０．００）、青色の第１のトラッピング％許容範囲（例えば、１０．００）、第１の３色グレー部の第１のＬａｂ値許容範囲（例えば、ΔＥ＝６．００）、第２の３色グレー部の第１のＬａｂ値許容範囲（例えば、ΔＥ＝３．００）、第３の３色グレー部の第１のＬａｂ値許容範囲（例えば、ΔＥ＝３．００）、藍色の第２のベタ濃度許容範囲（例えば、０．１２）、紅色の第２のベタ濃度許容範囲（例えば、０．１２）、黄色の第２のベタ濃度許容範囲（例えば、０．１２）、墨色の第２のベタ濃度許容範囲（例えば、０．１２）、藍色の第２のドットゲイン％許容範囲（例えば、４．００）、紅色の第２のドットゲイン％許容範囲（例えば、４．００）、黄色の第２のドットゲイン％許容範囲（例えば、４．００）、墨色の第２のドットゲイン％許容範囲（例えば、４．００）、藍色の第２のコントラスト値許容範囲（例えば、０．１０）、紅色の第２のコントラスト値許容範囲（例えば、０．１０）、黄色の第２のコントラスト値許容範囲（例えば、０．０５）、墨色の第２のコントラスト値許容範囲（例えば、０．１０）、赤色の第２のトラッピング％許容範囲（例えば、２０．００）、緑色の第２のトラッピング％許容範囲（例えば、２０．００）、青色の第２のトラッピング％許容範囲（例えば、２０．００）、第１の３色グレー部の第２のＬａｂ値許容範囲（例えば、ΔＥ＝９．００）、第２の３色グレー部の第２のＬａｂ値許容範囲（例えば、ΔＥ＝６．００）、第３の３色グレー部の第２のＬａｂ値許容範囲（例えば、ΔＥ＝６．００）が含まれる。
【００３５】
グラフ表示範囲設定情報には、藍色の最大及び最小ベタ濃度（例えば、最大値＝２．００、最小値＝１．００）、紅色の最大及び最小ベタ濃度（例えば、最大値＝２．００、最小値＝１．００）、黄色の最大及び最小ベタ濃度（例えば、最大値＝１．５０、最小値＝０．５０）、墨色の最大及び最小ベタ濃度（例えば、最大値＝２．００、最小値＝１．００）、藍色の最大及び最小ドットゲイン％（例えば、最大値＝３０．００、最小値＝５．００）、紅色の最大及び最小ドットゲイン％（例えば、最大値＝３０．００、最小値＝５．００）、黄色の最大及び最小ドットゲイン％（例えば、最大値＝３０．００、最小値＝５．００）、墨色の最大及び最小ドットゲイン％（例えば、最大値＝３０．００、最小値＝５．００）、藍色の最大及び最小コントラスト値（例えば、最大値＝０．６０、最小値＝０．００）、紅色の最大及び最小コントラスト値（例えば、最大値＝０．６０、最小値＝０．００）、黄色の最大及び最小コントラスト値（例えば、最大値＝０．６０、最小値＝０．００）、墨色の最大及び最小コントラスト値（例えば、最大値＝０．６０、最小値＝０．００）、赤色の最大及び最小トラッピング％（例えば、最大値＝１００．００、最小値＝０．００）、緑色の最大及び最小トラッピング％（例えば、最大値＝１００．００、最小値＝０．００）、青色の最大及び最小トラッピング％（例えば、最大値＝１００．００、最小値＝０．００）、第１の３色グレー部の最大及び最小Ｌａｂ値許容範囲（例えば、最大値＝１５．００、最小値＝０．００）、第２の３色グレー部の最大及び最小Ｌａｂ値許容範囲（例えば、最大値＝１０．００、最小値＝０．００）、第３の３色グレー部の最大及び最小Ｌａｂ値許容範囲（例えば、最大値＝１０．００、最小値＝０．００）が含まれる。
【００３６】
（日常管理パッチの測色）
測色装置２の中央処理装置は、基本設定情報の日常管理パッチの数を、測色装置２の記憶装置から読み出し、日常管理パッチの数の回数だけ、日常管理パッチを、所定の順序で（例えば、印刷の流れ方向３３に平行な方向な中心線３４を基準として左手側から右手側の順序で）、測色する。
【００３７】
日常管理パッチの数が２である場合、中央処理装置は、２つの日常管理パッチを測色するように測色装置２の測色機を動作させる。中央処理装置は、例えば、測定装置２の測色機の動作を開始させた時刻を、測定時間として記憶装置に格納する。中央処理装置に従って、測色装置２の測色機は、左手側に位置する第１の日常管理パッチ３１の各パッチ毎に、藍色の濃度、紅色の濃度、黄色の濃度、墨色の濃度、Ｌ値、ａ値及びｂ値を、図５の走査方向７０に沿って測定し、それらの測定値を記憶装置に格納する（図７の左図を参照）。次に、測色装置２の測色機は、右手側に位置する第２の日常管理パッチ３３の各パッチ毎に、藍色の濃度、紅色の濃度、黄色の濃度、墨色の濃度、Ｌ値、ａ値及びｂ値を測定し、それらの測定値を記憶装置に格納する。日常管理パッチの数が２である場合、中央処理装置は、この時点で、測色装置２の測色機の動作終了させる。
【００３８】
なお、日常管理パッチの数が３である場合、測色装置２の測色機は、左手側に位置する第１の日常管理パッチ３１を測色した後であって、右手側に位置する第２の日常管理パッチ３２を測色する前に、中央側に位置する第３の日常管理パッチ４１を測色する。
【００３９】
（印刷条件の抽出）
測色装置２の中央処理装置は、第１及び第２の日常管理パッチ３１及び３２の測定値のそれぞれから１組の印刷条件を抽出する。第３の日常管理パッチ４１も測色される場合、中央処理装置は、第３の日常管理パッチ４１に対応する１組の印刷条件も抽出する。
【００４０】
具体的には、中央処理装置は、１つの日常管理パッチの測定値（図７の左図）から、藍色、紅色、黄色及び墨色のベタ濃度を抽出し、藍色、紅色、黄色及び墨色のドットゲイン％を算出し、藍色、紅色、黄色及び墨色のコントラスト値を算出し、赤色、緑色及び青色のトラッピング％を算出し、第１、第２及び第３の３色グレー部の色差を算出する（図７の右図）。
【００４１】
より具体的には、中央処理装置は、第１の日常管理パッチ３１に関して、基本設定情報の日常管理パッチの構成情報に基づいて、１００％の藍色部５２の藍色の濃度（ＤＳｃ）を藍色の第１の測定ベタ濃度として認識して記憶装置に保存する。同様に、中央処理装置は、１００％の紅色部５５の紅色の濃度（ＤＳｍ）、１００％の黄色部５８の黄色の濃度（ＤＳｙ）及び１００％の墨色部６１の墨色の濃度（ＤＳｋ）を、それぞれ紅色、黄色及び墨色の第１の測定ベタ濃度として認識する。
【００４２】
さらに、中央処理装置は、紙の白色部５１の藍色の濃度（ＤＷｃ）と１００％の藍色部５２の藍色の濃度（ＤＳｃ）と、５０％の藍色部５４の藍色の濃度（ＤＣｃ）とから、例えば以下の式１に従って、藍色の第１の測定ドットゲイン％（Ｇｃ）を算出して記憶装置に保存する：
Ｇｃ＝Ａｃ−５０
＝（１−１０-(DCc-DWc)）／（１−１０-(DSc-DWc)）×１００−５０  …  （１）。なお、式１のＡｃ（網点面積率）は、Ｍｕｒｒａｙ−Ｄａｖｉｅｓの式と呼ばれており、Ｍｕｒｒａｙ−Ｄａｖｉｅｓの式の代わりに、Ｙｕｌｅ−Ｎｉｅｌｓｅｎの式などを用いてもよい。同様に、中央処理装置は、紙の白色部５１の紅色の濃度（ＤＷｍ）、１００％の紅色部５５の紅色の濃度（ＤＳｍ）及び５０％の紅色部５７の紅色の濃度（ＤＣｍ）、紙の白色部５１の黄色の濃度（ＤＷｙ）、１００％の黄色部５８の黄色の濃度（ＤＳｙ）及び５０％の黄色部６０の黄色の濃度（ＤＣｙ）、並びに、紙の白色部５１の墨色の濃度（ＤＷｋ）、１００％の墨色部６１の墨色の濃度（ＤＳｋ）及び５０％の墨色部６３の墨色の濃度（ＤＣｋ）から、それぞれ紅色、黄色及び墨色の第１の測定ドットゲイン％（Ｇｍ、Ｇｙ及びＧｋ）を算出する。
【００４３】
さらに、中央処理装置は、１００％の藍色部５２の藍色の濃度（ＤＳｃ）と、７５％の藍色部５３の藍色の濃度（ＤＤｃ）とから、以下の式２に従って、藍色の第１の測定コントラスト値（Ｋｒｃ）を算出して記憶装置に保存する：
Ｋｒｃ＝（ＤＳｃ−ＤＤｃ）／ＤＳｃ  …  （２）。同様に、中央処理装置は、１００％の紅色部５５の紅色の濃度（ＤＳｍ）及び７５％の紅色部５６の紅色の濃度（ＤＤｍ）、１００％の黄色部５８の黄色の濃度（ＤＳｙ）及び７５％の黄色部５９の黄色の濃度（ＤＤｙ）、並びに、１００％の墨色部６１の墨色の濃度（ＤＳｋ）及び７５％の墨色部６２の墨色の濃度（ＤＤｋ）から、それぞれ紅色、黄色及び墨色の第１のコントラスト値（Ｋｒｍ、Ｋｒｙ及びＫｒｋ）を算出する。
【００４４】
さらに、中央処理装置は、１００％の紅色部５５の黄色の濃度（ＤＭｙ）と、１００％の黄色部５８の黄色の濃度（ＤＳｙ）と、１００％の紅色と１００％の黄色とからなる赤色部６４の黄色の濃度（ＤＲｙ）とから、以下の式３に従って、赤色の第１の測定トラッピング％（Ｔｒ）を算出して記憶装置に保存する：
Ｔｒ＝（（ＤＲｙ−ＤＭｙ）／ＤＳｙ）×１００  …  （３）。なお、式３は、印刷における刷り順が墨色、藍色、紅色、黄色の順序であった場合の式である。従って、紅色と黄色の順序が逆転した場合、１００％の紅色部５５の紅色の濃度（ＤＳｍ）と、１００％の黄色部５８の紅色の濃度（ＤＹｍ）と、１００％の紅色と１００％の黄色とからなる赤色部６４の紅色の濃度（ＤＲｍ）とから、以下の式３’に従って、赤色の第１の測定トラッピング％（Ｔｒ）を算出して記憶装置に保存する：
Ｔｒ＝（（ＤＲｍ−ＤＹｍ）／ＤＳｍ）×１００  …  （３’）。
【００４５】
同様に、中央処理装置は、１００％の藍色部５２の黄色の濃度（ＤＢｙ）（或いは、藍色の濃度ＤＳｃ）と、１００％の黄色部５８の黄色の濃度（ＤＳｙ）（或いは、藍色の濃度（ＤＹｃ））と、１００％の藍色と１００％の黄色とからなる緑色部６５の黄色の濃度（ＤＧｙ）（或いは、藍色の濃度（ＤＧｃ））とから、緑色の第１のトラッピング％（Ｔｇ）を算出する。
【００４６】
また、中央処理装置は、１００％の藍色部５２の紅色の濃度（ＤＣｍ）（或いは、藍色の濃度（ＤＳｃ））と、１００％の紅色部５５の紅色の濃度（ＤＳｍ）（或いは、藍色の濃度（ＤＲｃ））と、１００％の藍色と１００％の紅色とからなる青色部６６の紅色の濃度（ＤＢｍ）（或いは、藍色の濃度（ＤＢｃ））から、青色の第１のトラッピング％（Ｔｂ）を算出する。
【００４７】
さらに、中央処理装置は、８０％の藍色と６９％の紅色と６９％の黄色とからなる第１の３色グレー部６７のＬａｂ値（Ｌ１、ａ１、ｂ１）と、基準印刷条件設定情報の第１の３色グレー部の基準Ｌａｂ値（例えば、Ｌ＝３８．２７、ａ＝−２．３９、ｂ＝２．０４）とから、以下の式４に従って、第１の３色グレーの第１の色差（ΔＥｇ８０）を算出して記憶装置に保存する：
ΔＥｇ８０＝√（（Ｌ１−Ｌ）2＋（ａ１−ａ）2＋（ｂ１−ｂ）2）
＝√（（Ｌ１−３８．２７）2＋（ａ１−（−２．３９））2＋（ｂ１−２．０４）2）  …  （４）。同様に、中央処理装置は、５０％の藍色と３８％の紅色と１３％の黄色からなる第２の３色グレー部６８のＬａｂ値（Ｌ２、ａ２、ｂ２）及び第２の３色グレー部の基準Ｌａｂ値（例えば、Ｌ＝５９．８９、ａ＝−１．６４、ｂ＝−０．６１）、並びに、２０％の藍色と１３％の紅色と１３％の黄色とからなる第３の３色グレー部６９のＬａｂ値（Ｌ３、ａ３、ｂ３）及び第３の３色グレー部の基準Ｌａｂ値（例えば、Ｌ＝８０．９１、ａ＝−０．５３、ｂ＝−１．４７）から、それぞれ第２の３色グレーの第１の色差（ΔＥｇ５０）及び第３の３色グレーの第１の色差（ΔＥｇ２０）を算出する。
【００４８】
また、第１の日常管理パッチ３１と同様に、中央処理装置は、第２の日常管理パッチ３２に関して、藍色、紅色、黄色及び墨色の第２の測定ベタ濃度（ＤＳｃ、（ＤＳｍ、ＤＳｙ及びＤＳｋ）、藍色、紅色、黄色及び墨色の第２の測定ドットゲイン％（Ｇｃ、Ｇｍ、Ｇｙ及びＧｋ）、藍色、紅色、黄色及び墨色の第２のコントラスト値（Ｋｒｃ、Ｋｒｍ、Ｋｒｙ及びＫｒｋ）、赤色、緑色及び青色の第２のトラッピング％（Ｔｒ、Ｔｇ及びＴｂ）、第１、第２及び第３の３色グレーの第２の色差（ΔＥｇ８０、ΔＥｇ５０及びΔＥｇ２０）を求めて記憶装置に記憶する。
【００４９】
（印刷条件の送信）
測色装置２の中央処理装置は、記憶装置に記憶される基本設定情報、基準印刷条件設定情報、許容値設定情報及びグラフ表示範囲設定情報、日常管理パッチの数の組の印刷条件（藍色の基準ベタ濃度(ＤＳｃ)、紅色の基準ベタ濃度(ＤＳｍ)、黄色の基準ベタ濃度(ＤＳｙ)、墨色の基準ベタ濃度(ＤＳｋ) 、藍色の基準ドットゲイン％(Ｇｃ)、紅色の基準ドットゲイン％(Ｇｍ)、黄色の基準ドットゲイン％(Ｇｙ)、墨色の基準ドットゲイン％(Ｇｋ)、藍色の基準コントラスト値(Ｋｒｃ)、紅色の基準コントラスト値(Ｋｒｍ)、黄色の基準コントラスト値(Ｋｒｙ)、墨色の基準コントラスト値(Ｋｒｋ)、赤色の基準トラッピング％(Ｔｒ)、緑色の基準トラッピング％(Ｔｇ) 、青色の基準トラッピング％(Ｔｂ)、第１の３色グレー部の色差(ΔＥｇ８０)、第２の３色グレー部の色差(ΔＥｇ５０)及び第３の３色グレー部の色差(ΔＥｇ２０)）、並びに、測定時間を管理装置３に送信するように、測色装置２の通信手段を動作させる。
【００５０】
なお、管理装置３に送信する基本設定情報には、日常管理パッチの構成情報及び日常管理パッチの数を含めなくてもよい。また、測定時間は、測定装置２の測色機の動作を開始させた時刻の代わりに、測色装置２の測色機の動作中の任意の時刻、測色装置２の測色機の動作終了時刻、或いは、ユーザによって測色装置２に入力された時刻であってもよい。さらに、測定時間は、管理装置３に送信しなくてもよい。
【００５１】
具体的には、測色装置２は、回線（例えば、インターネット）を介して管理装置３にアクセスし、データの記録を管理装置３に要求する。
（印刷条件の受信）
図１に示す管理装置３は、管理装置３を制御する中央処理装置（図示せず）と、その制御プログラム等が記録される記録装置（図示せず）と、通信手段（図示せず）とを備える。管理装置３の中央処理装置は、記録装置に記録される制御プログラムに従って、管理装置３を以下のように動作させる。
【００５２】
測色装置２からのアクセスを許可する前に、まず、管理装置３の中央処理装置は、各ユーザ毎に、ユーザＩＤ及びそのパスワードを管理装置３の記憶装置に格納する。管理装置３の中央処理装置は、基本設定情報のユーザＩＤ、パスワード及びデータの記録要求を測色装置２から受信するように、管理装置３の通信手段を動作させる。管理装置３の中央処理装置は、測色装置２からの基本設定情報のユーザＩＤ及びパスワードが、管理装置３の記憶装置のユーザＩＤ及びパスワードに一致するか否かを判定し、両者が一致している場合、管理装置３の中央処理装置は、測色装置２からのデータの記録要求を許可する。この許可に基づき、管理装置３の中央処理装置は、基本設定情報の印刷機ＩＤ、用紙ＩＤ、基準印刷条件設定情報、許容値設定情報及びグラフ表示範囲設定情報、日常管理パッチの数の組の印刷条件、並びに、測定時間を測色装置２から受信するように、管理装置３の通信手段を動作させる。
【００５３】
なお、測色装置２が、測定時間を管理装置３に送信しない場合、管理装置３は、測色装置２からユーザＩＤを受信した時刻、その時刻から所定の時間が経過した時刻、或いは、ユーザＩＤを受信した時刻よりも所定の時間だけ過去の時刻を、測定時間とすることができる。
【００５４】
管理装置３の中央処理装置は、受信した印刷機ＩＤ、用紙ＩＤ、基準印刷条件設定情報、許容値設定情報及びグラフ表示範囲設定情報、並びに、日常管理パッチの数の組の印刷条件を、対応するユーザＩＤ及び測定時間に関連付けて、管理装置３の記録装置に記憶する。このようにして、測色装置２からのデータは、管理装置３にデータベース化される。
【００５５】
（印刷条件の閲覧）
図１に示す閲覧装置４は、閲覧装置４を制御する中央処理装置（図示せず）と、その制御プログラム等が記録される記録装置（図示せず）と、通信手段（図示せず）とを備える。閲覧装置４の中央処理装置は、記録装置に記録される制御プログラムに従って、閲覧装置４を以下のように動作させる。
【００５６】
閲覧装置４の中央処理装置は、回線（例えば、インターネット）を介して管理装置３にアクセスし、データの閲覧を管理装置３に要求する。
管理装置３の中央処理装置は、データの閲覧要求を閲覧装置４から受信するように、管理装置３の通信手段を動作させる。管理装置３の中央処理装置は、閲覧装置４からのデータ閲覧要求に応じて、閲覧装置４にユーザＩＤ及びパスワードを送信可能にさせるＷｅｂページ（例えば、図８の左図に示されるレイアウトを持つＷｅｂページ）を閲覧装置４に返信するように、管理装置３の通信手段を動作させる。閲覧装置４の中央処理装置は、Ｗｅｂページを介してユーザＩＤ及びパスワード（図８の右図の例において、ユーザＩＤは、０００１であり、パスワードは、１２３４である。）を管理装置３に送信するように、閲覧装置４の通信手段を動作させる。
【００５７】
管理装置３の中央処理装置は、閲覧装置４からのユーザＩＤ及びパスワードが、管理装置３の記憶装置のユーザＩＤ及びパスワードに一致するか否かを判定し、両者が一致している場合、管理装置３の中央処理装置は、管理装置３の記憶装置に格納される印刷機ＩＤであって、ユーザＩＤに対応するすべての印刷機ＩＤを表示し、各印刷機ＩＤに対応する用紙ＩＤを閲覧装置４のユーザに選択可能にさせ、それにより、閲覧装置４に１つの印刷機ＩＤ及び１つの用紙ＩＤを送信可能にさせるＷｅｂページ（例えば、図９の左図に示されるレイアウトを持つＷｅｂページ）を閲覧装置４に返信するように、管理装置３の通信手段を動作させる。閲覧装置４の中央処理装置は、Ｗｅｂページを介して印刷機ＩＤ及び用紙ＩＤ（図９の右図の例において、印刷機ＩＤは、２号機であり、用紙ＩＤは、コート紙である。）を管理装置３に送信するように、閲覧装置４の通信手段を動作させる。
【００５８】
管理装置３の中央処理装置は、閲覧装置４からの印刷機ＩＤ及び用紙ＩＤを表示し、グラフの種類を表示し、各グラフに対応する印刷条件項目を閲覧装置４のユーザに選択可能にさせ、それにより、閲覧装置４に１つのグラフの種類及び１つの印刷条件項目を送信可能にさせるＷｅｂページ（例えば、図１０の左図に示されるレイアウトを持つＷｅｂページ）を閲覧装置４に返信するように、管理装置３の通信手段を動作させる。閲覧装置４の中央処理装置は、Ｗｅｂページを介してグラフの種類及び印刷条件項目（図１０の右図の例において、グラフの種類は、日間グラフであり、印刷条件項目は、ベタ濃度である。）を管理装置３に送信するように、閲覧装置４の通信手段を動作させる。
【００５９】
グラフの種類として、日間グラフを閲覧装置４から受信する場合、管理装置３の中央処理装置は、閲覧装置４からのユーザＩＤ、印刷機ＩＤ及び用紙ＩＤに対応する測定時間の中から、最新の測定日に属する測定時間を抽出する。印刷条件項目として、ベタ濃度を閲覧装置４から受信する場合、その後、管理装置３の中央処理装置は、閲覧装置４からのユーザＩＤ、印刷機ＩＤ及び用紙ＩＤ並びに最新の測定日に属する測定時間に対応する印刷条件、基準印刷条件設定情報、許容値設定情報及びグラフ表示範囲設定情報の中から、ベタ濃度に属するデータ（藍色のベタ濃度(ＤＳｃ)、藍色の基準ベタ濃度、藍色の第１のベタ濃度許容範囲、藍色の第２のベタ濃度許容範囲、藍色の最大及び最小ベタ濃度、紅色のベタ濃度(ＤＳｍ)、紅色の基準ベタ濃度、紅色の第１のベタ濃度許容範囲、紅色の第２のベタ濃度許容範囲、紅色の最大及び最小ベタ濃度、黄色のベタ濃度(ＤＳｙ)、黄色の基準ベタ濃度、黄色の第１のベタ濃度許容範囲、黄色の第２のベタ濃度許容範囲、黄色の最大及び最小ベタ濃度、墨色のベタ濃度(ＤＳｋ)、墨色の基準ベタ濃度、墨色の第１のベタ濃度許容範囲、墨色の第２のベタ濃度許容範囲、墨色の最大及び最小ベタ濃度）を抽出する。その後、管理装置３の中央処理装置は、閲覧装置４からの印刷機ＩＤ、用紙ＩＤ、印刷条件項目、グラフの種類及び管理装置３で求めた最新の測定日を表示し、各色毎にベタ濃度に属するデータをグラフ化するＷｅｂページ（例えば、図１１に示されるレイアウトを持つＷｅｂページ）を閲覧装置４に返信するように、管理装置３の通信手段を動作させる。
【００６０】
図１１の例において、Ｗｅｂページには、印刷機ＩＤが２号機として表示され（矢印８１）、用紙ＩＤがコート紙として表示され（矢印８２）、印刷条件項目がベタ濃度として表示され（矢印８３）、グラフの種類が日間グラフとして表示され（矢印８４）、最新の測定日が２００４年９月３０日として表示され（矢印８５）、藍色に関しては、印刷条件である藍色のベタ濃度(ＤＳｃ)が○及び△として表示され（矢印８６及び８７）、基準印刷条件設定情報である藍色の基準ベタ濃度が黒色の実線として表示され（矢印８８）、基準印刷条件設定情報である藍色の第１のベタ濃度許容範囲が藍色の基準ベタ濃度を基準としてＹ軸のプラス方向及びマイナス方向に緑色の実線として表示され（矢印８９及び９０）、許容値設定情報である藍色の第２のベタ濃度許容範囲が藍色の基準ベタ濃度を基準としてＹ軸のプラス方向及びマイナス方向に赤色の実線として表示され（矢印９１及び９２）、グラフ表示範囲設定情報である藍色の最大及び最小ベタ濃度がＹ軸の最大値及び最小値として表示されている（矢印９３及び９４）。
【００６１】
なお、図１１の例において、日常管理パッチの数は、２であり、第１の日常管理パッチ３１に対応する印刷条件（藍色のベタ濃度、赤色のベタ濃度、黄色のベタ濃度、墨色のベタ濃度）は、○として表示され、第２の日常管理パッチ３２に対応する印刷条件（藍色のベタ濃度、赤色のベタ濃度、黄色のベタ濃度、墨色のベタ濃度）は、△として表示される。第１の日常管理パッチ３１は、印刷の流れ方向３３に平行な方向な中心線３４を基準として左手側に位置し、第２の日常管理パッチ３２は、中心線３４を基準として右手側に位置するので、印刷条件項目（ベタ濃度）の面内変動（左手側のベタ濃度及び右手側のベタ濃度）を管理することができる。その管理結果により、面内変動の要因（例えば、印刷機上の湿し水の温度の異変、ローラ間の水上がりの状態の異変など）の推定を閲覧装置４のユーザに可能させることができる。
【００６２】
好ましくは、管理装置３の中央処理装置は、図１１の例に示すように、最新の測定日に属する測定時間に対応する印刷条件であって、印刷条件項目（ベタ濃度）に属する印刷条件の平均値、最大値及び最小値を、各色毎ごとに、算出する。図１１の例において、最新の測定日（２００４年９月３０日）に属する測定時間（９時頃、１２時頃、１３時頃、１４時頃、１５時頃、１６時頃）に対応する藍色のベタ濃度の平均値は、１．４７であり、最大値は、１．７５であり、最小値は、１．３６である。このように、最新の測定日に属する印刷条件（ベタ濃度）を統計処理することにより、印刷条件（ベタ濃度）の日常管理を容易に実施することができる。
【００６３】
図１０の右図の例と異なり、閲覧装置４の中央処理装置が、Ｗｅｂページを介してグラフの種類としての「月間グラフ」及び印刷条件項目としてのベタ濃度を管理装置３に送信した場合について、以下に説明する。この場合、管理装置３の中央処理装置は、閲覧装置４からのユーザＩＤ、印刷機ＩＤ及び用紙ＩＤに対応する測定時間の中から、最新の測定月に属する測定時間を抽出する。印刷条件項目として、ベタ濃度を閲覧装置４から受信する場合、その後、管理装置３の中央処理装置は、閲覧装置４からのユーザＩＤ、印刷機ＩＤ及び用紙ＩＤ並びに最新の測定月に属する測定時間に対応する印刷条件、基準印刷条件設定情報、許容値設定情報及びグラフ表示範囲設定情報の中から、ベタ濃度に属するデータを抽出する。その後、管理装置３の中央処理装置は、閲覧装置４からの印刷機ＩＤ、用紙ＩＤ、印刷条件項目、グラフの種類及び管理装置３で求めた最新の測定月を表示し、各色毎にベタ濃度に属するデータをグラフ化するＷｅｂページを閲覧装置４に返信するように、管理装置３の通信手段を動作させる。
【００６４】
好ましくは、管理装置３の中央処理装置は、閲覧装置４からの印刷条件項目（ベタ濃度）に属するデータを最新の測定月に属する測定時間毎にグラフ化するのではなく、最新の測定月に属する測定日毎にグラフ化するＷｅｂページを作成する。すなわち、管理装置３の中央処理装置は、最新の測定月に属する測定時間を１日単位でグループ化し、グループ毎に、グループ化した測定時間に対応する印刷条件、基準印刷条件設定情報、許容値設定情報及びグラフ表示範囲設定情報を平均化し、１日単位で平均化したデータをグラフ化するＷｅｂページを作成する。このように、最新の測定月に属する印刷条件（ベタ濃度）を平均化処理することにより、印刷条件（ベタ濃度）の変化の傾向を容易に把握することができる。
【００６５】
図１０の右図の例と異なり、閲覧装置４の中央処理装置が、Ｗｅｂページを介してグラフの種類としての「年間グラフ」及び印刷条件項目としてのベタ濃度を管理装置３に送信した場合について、以下に説明する。この場合、管理装置３の中央処理装置は、閲覧装置４からのユーザＩＤ、印刷機ＩＤ及び用紙ＩＤに対応する測定時間の中から、最新の測定年に属する測定時間を抽出する。印刷条件項目として、ベタ濃度を閲覧装置４から受信する場合、その後、管理装置３の中央処理装置は、閲覧装置４からのユーザＩＤ、印刷機ＩＤ及び用紙ＩＤ並びに最新の測定年に属する測定時間に対応する印刷条件、基準印刷条件設定情報、許容値設定情報及びグラフ表示範囲設定情報の中から、ベタ濃度に属するデータを抽出する。その後、管理装置３の中央処理装置は、閲覧装置４からの印刷機ＩＤ、用紙ＩＤ、印刷条件項目、グラフの種類及び管理装置３で求めた最新の測定年を表示し、各色毎にベタ濃度に属するデータをグラフ化するＷｅｂページを閲覧装置４に返信するように、管理装置３の通信手段を動作させる。
【００６６】
好ましくは、管理装置３の中央処理装置は、閲覧装置４からの印刷条件項目（ベタ濃度）に属するデータを最新の測定年に属する測定時間毎にグラフ化するのではなく、最新の測定年に属する測定週毎にグラフ化するＷｅｂページを作成する。すなわち、管理装置３の中央処理装置は、最新の測定年に属する測定時間を１週間単位でグループ化し、グループ毎に、グループ化した測定時間に対応する印刷条件、基準印刷条件設定情報、許容値設定情報及びグラフ表示範囲設定情報を平均化し、１週間単位で平均化したデータをグラフ化するＷｅｂページを作成する。このように、最新の測定年に属する印刷条件（ベタ濃度）を平均化処理することにより、印刷条件（ベタ濃度）の変化の傾向を容易に把握することができる。
【００６７】
図１０の右図の例と異なり、閲覧装置４の中央処理装置が、Ｗｅｂページを介してグラフの種類としての日間グラフ及び印刷条件項目としての「ドットゲイン％」を管理装置３に送信した場合について、以下に説明する。この場合、管理装置３の中央処理装置は、閲覧装置４からのユーザＩＤ、印刷機ＩＤ及び用紙ＩＤに対応する測定時間の中から、最新の測定日に属する測定時間を抽出する。印刷条件項目として、ドットゲイン％を閲覧装置４から受信する場合、その後、管理装置３の中央処理装置は、閲覧装置４からのユーザＩＤ、印刷機ＩＤ及び用紙ＩＤ並びに最新の測定日に属する測定時間に対応する印刷条件、基準印刷条件設定情報、許容値設定情報及びグラフ表示範囲設定情報の中から、ドットゲイン％に属するデータ（藍色のドットゲイン％(Ｇｃ)、藍色の基準ドットゲイン％、藍色の第１のドットゲイン％許容範囲、藍色の第２のドットゲイン％許容範囲、藍色の最大及び最小ドットゲイン％、紅色のドットゲイン％(Ｇｍ)、紅色の基準ドットゲイン％、紅色の第１のドットゲイン％許容範囲、紅色の第２のドットゲイン％許容範囲、紅色の最大及び最小ドットゲイン％、黄色のドットゲイン％(Ｇｙ)、黄色の基準ドットゲイン％、黄色の第１のドットゲイン％許容範囲、黄色の第２のドットゲイン％許容範囲、黄色の最大及び最小ドットゲイン％、墨色のドットゲイン％(Ｇｋ)、墨色の基準ドットゲイン％、墨色の第１のドットゲイン％許容範囲、墨色の第２のドットゲイン％許容範囲、墨色の最大及び最小ドットゲイン％）を抽出する。その後、管理装置３の中央処理装置は、閲覧装置４からの印刷機ＩＤ、用紙ＩＤ、印刷条件項目、グラフの種類及び管理装置３で求めた最新の測定日を表示し、各色毎にドットゲイン％に属するデータをグラフ化するＷｅｂページ（例えば、図１２に示されるレイアウトを持つＷｅｂページ）を閲覧装置４に返信するように、管理装置３の通信手段を動作させる。
【００６８】
図１２の例において、Ｗｅｂページには、印刷機ＩＤが２号機として表示され（矢印８１）、用紙ＩＤがコート紙として表示され（矢印８２）、印刷条件項目がドットゲイン％として表示され（矢印９５）、グラフの種類が日間グラフとして表示され（矢印８４）、最新の測定日が２００４年９月３０日として表示され（矢印８５）、藍色に関しては、印刷条件である藍色のドットゲイン％(Ｇｃ)が○及び△として表示され（矢印９６及び９７）、基準印刷条件設定情報である藍色の基準ドットゲイン％が黒色の実線として表示され（矢印９８）、基準印刷条件設定情報である藍色の第１のドットゲイン％許容範囲が藍色の基準ドットゲイン％を基準としてＹ軸のプラス方向及びマイナス方向に緑色の実線として表示され（矢印９９及び１００）、許容値設定情報である藍色の第２のドットゲイン％許容範囲が藍色の基準ドットゲイン％を基準としてＹ軸のプラス方向及びマイナス方向に赤色の実線として表示され（矢印１０１及び１０２）、グラフ表示範囲設定情報である藍色の最大及び最小ドットゲイン％がＹ軸の最大値及び最小値として表示されている（矢印１０３及び１０４）。
【００６９】
なお、図１２の例において、日常管理パッチの数は、２であり、第１の日常管理パッチ３１に対応する印刷条件（藍色のドットゲイン％、赤色のドットゲイン％、黄色のドットゲイン％、墨色のドットゲイン％）は、○として表示され、第２の日常管理パッチ３２に対応する印刷条件（藍色のドットゲイン％、赤色のドットゲイン％、黄色のドットゲイン％、墨色のドットゲイン％）は、△として表示される。
【００７０】
図１０の右図の例と異なり、閲覧装置４の中央処理装置が、Ｗｅｂページを介してグラフの種類としての日間グラフ及び印刷条件項目としての「コントラスト値」を管理装置３に送信した場合、管理装置３の中央処理装置は、閲覧装置４からのユーザＩＤ、印刷機ＩＤ及び用紙ＩＤ並びに最新の測定日に属する測定時間に対応する印刷条件、基準印刷条件設定情報、許容値設定情報及びグラフ表示範囲設定情報の中から、コントラスト値に属するデータを抽出する。その後、管理装置３の中央処理装置は、閲覧装置４からの印刷機ＩＤ、用紙ＩＤ、印刷条件項目、グラフの種類及び管理装置３で求めた最新の測定日を表示し、各色毎にコントラスト値に属するデータをグラフ化するＷｅｂページを閲覧装置４に返信するように、管理装置３の通信手段を動作させる。
【００７１】
図１０の右図の例と異なり、閲覧装置４の中央処理装置が、Ｗｅｂページを介してグラフの種類としての日間グラフ及び印刷条件項目としての「トラッピング％」を管理装置３に送信した場合、閲覧装置４からの印刷機ＩＤ、用紙ＩＤ、印刷条件項目、グラフの種類及び管理装置３で求めた最新の測定日を表示し、各色毎にトラッピング％に属するデータをグラフ化するＷｅｂページを閲覧装置４に返信するように、管理装置３の通信手段を動作させる。
【００７２】
図１０の右図の例と異なり、閲覧装置４の中央処理装置が、Ｗｅｂページを介してグラフの種類としての日間グラフ及び印刷条件項目としての「グレーバランス」を管理装置３に送信した場合、閲覧装置４からの印刷機ＩＤ、用紙ＩＤ、印刷条件項目、グラフの種類及び管理装置３で求めた最新の測定日を表示し、グレー部の網点指定％毎にグレーバランスに属するデータをグラフ化するＷｅｂページを閲覧装置４に返信するように、管理装置３の通信手段を動作させる。
【００７３】
なお、上述の例において、最新の測定日は、管理装置３の記憶装置に記録され、且つ抽出条件に一致する測定時間の中で最も新しい日であったが、最新の測定日の変わりに、管理装置３の中央処理装置は、閲覧装置４のユーザによって指定された測定日を用いることも可能である。同様に、管理装置３の中央処理装置は、最新の測定月（或いは測定年）の代わりに、閲覧装置４のユーザによって指定された測定月（或いは測定年）を用いることも可能である。
【図面の簡単な説明】
【００７４】
【図１】本発明の印刷条件日常管理システムの構成例を示す。
【図２】印刷機によって印刷された最終印刷物の平面図を示す。
【図３】最終印刷物の日常管理領域に印刷された日常管理パッチの配置例を示す。
【図４】最終印刷物の日常管理領域に印刷された日常管理パッチの他の配置例を示す。
【図５】日常管理パッチの構成例を示す。
【図６】設定情報である基本設定情報、基準印刷条件設定情報、許容値設定情報及びグラフ表示範囲設定情報のそれぞれの構成例を示す。
【図７】左図は、１つの日常管理パッチ毎に測色される１組の測定値の例を示し、右図は、１組の測定値から抽出される１組の印刷条件の例を示す。
【図８】ユーザＩＤ及びパスワードを送信可能にさせるＷｅｂページのレイアウトの１例を示す。
【図９】印刷機ＩＤ及び用紙ＩＤを送信可能にさせるＷｅｂページのレイアウトの１例を示す。
【図１０】グラフの種類及び印刷条件項目を送信可能にさせるＷｅｂページのレイアウトの１例を示す。
【図１１】印刷条件項目（ベタ濃度）を表示するＷｅｂページのレイアウトの１例を示す。
【図１２】印刷条件項目（ドットゲイン％）を表示するＷｅｂページのレイアウトの１例を示す。
【図１】
2006123419.tif 000003
【図２】
2006123419.tif 000004
【図３】
2006123419.tif 000005
【図４】
2006123419.tif 000006
【図５】
2006123419.tif 000007
【図６】
2006123419.tif 000008
【図７】
2006123419.tif 000009
【図８】
2006123419.tif 000010
【図９】
2006123419.tif 000011
【図１０】
2006123419.tif 000012
【図１１】
2006123419.tif 000013
【図１２】
2006123419.tif 000014